【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
ワイヤレス通信のための、ユーザ機器（ＵＥ）における方法であって、
共有される免許不要スペクトラム中の複数の物理キャリアを、前記複数の物理キャリアのうちの少なくとも１つの物理キャリアを動的にスケジューリングするために使用される制御情報のために、監視することと、
前記複数の物理キャリアのうちの１つの物理キャリアを通じて、フレームのための制御フォーマットインジケータ値を受信することと、
前記制御フォーマットインジケータ値に基づいて、前記複数の物理キャリアのうちの前記少なくとも１つの物理キャリアを通じたダウンリンク送信のために基地局によって使用されるべき前記フレームのサブフレームの数を決定することと、
を備える方法。
【請求項２】
前記制御フォーマットインジケータ値に基づいて、前記ＵＥによる確認応答（ＡＣＫ）／否定確認応答（ＮＡＣＫ）送信をスケジューリングすることをさらに備える、請求項１に記載の方法。
【請求項３】
前記制御フォーマットインジケータ値は、前記フレームの最初のサブフレームの間に受信される、請求項１に記載の方法。
【請求項４】
前記制御フォーマットインジケータ値は、前記フレームの前記最初のサブフレームの最初のシンボルの間に受信される、請求項３に記載の方法。
【請求項５】
前記制御フォーマットインジケータ値は、前のフレームの最後のサブフレームの間に受信される、請求項１に記載の方法。
【請求項６】
前記制御フォーマットインジケータ値は、前記フレームのサブフレームの最初のシンボルの間に受信される、請求項１に記載の方法。
【請求項７】
前記制御フォーマットインジケータ値のビット幅は、前記フレームの構造に基づく、請求項１に記載の方法。
【請求項８】
前記制御フォーマットインジケータ値は、送信の終わり、データが前記フレームの間に送信されるべきかどうか、送信のために使用されるべき前記フレームのサブフレームの数、および送信のための最後のサブフレーム、のうちの少なくとも１つを示す、請求項１に記載の方法。
【請求項９】
前記制御フォーマットインジケータ値は、チャネル使用パイロット信号（ＣＵＰＳ）、チャネル使用ビーコン信号（ＣＵＢＳ）、セル固有参照信号（ＣＲＳ）、増強ＣＲＳ（ｅＣＲＳ）、送信フォーマットインジケータチャネル（ＴＦＩＣＨ）、増強ＴＦＩＣＨ（ｅＴＦＩＣＨ）、物理制御フォーマットインジケータチャネル（ＰＣＦＩＣＨ）、および増強ＰＣＦＩＣＨ（ＥＰＣＦＩＣＨ）の少なくとも１つの一部として受信される、請求項１に記載の方法。
【請求項１０】
ワイヤレス通信のための装置であって、
プロセッサと、
前記プロセッサに結合されたメモリと、を備え、前記プロセッサは、
共有される免許不要スペクトラム中の複数の物理キャリアを、前記複数の物理キャリアのうちの少なくとも１つの物理キャリアを動的にスケジューリングするために使用される制御情報のために、監視し、
前記複数の物理キャリアのうちの１つの物理キャリアを通じて、フレームのための制御フォーマットインジケータ値を受信し、
前記制御フォーマットインジケータ値に基づいて、前記複数の物理キャリアのうちの前記少なくとも１つの物理キャリアを通じたダウンリンク送信のために基地局によって使用されるべき前記フレームのサブフレームの数を決定する
ように構成される、装置。
【請求項１１】
前記プロセッサは、さらに、
前記制御フォーマットインジケータ値に基づいて、前記ＵＥによる確認応答（ＡＣＫ）／否定確認応答（ＮＡＣＫ）送信をスケジューリングするように構成される、請求項１０に記載の装置。
【請求項１２】
前記制御フォーマットインジケータ値は、前記フレームの最初のサブフレームの間に受信される、請求項１０に記載の装置。
【請求項１３】
前記制御フォーマットインジケータ値は、前のフレームの最後のサブフレームの間に受信される、請求項１０に記載の装置。
【請求項１４】
前記制御フォーマットインジケータ値は、前記フレームのサブフレームの最初のシンボルの間に受信される、請求項１０に記載の装置。
【請求項１５】
コンピュータによって実行されたとき、請求項１乃至９のうちのいずれかに記載の方法を実行するための命令を備える、コンピュータプログラム。
【手続補正２】
【補正対象書類名】明細書
【補正対象項目名】０２８１
【補正方法】変更
【補正の内容】
【０２８１】
[0317]本開示の前述の説明は、当業者が本開示を作製または使用することを可能にするために与えられる。本開示に対する様々な修正が当業者には容易に明らかとなり、本明細書において規定された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または要求しない。したがって、本開示は、本明細書で説明される例および設計に限定されるべきでなく、本明細書で開示される原理および新規の特徴に一致する最も広い範囲を与えられるべきである。
以下に、本願の出願当初の特許請求の範囲に記載された発明を付記する。
［Ｃ１］
ワイヤレス通信のための方法であって、
共有スペクトラム中の物理キャリアを通じて、フレームのための制御フォーマットインジケータ値を受信することと、
前記制御フォーマットインジケータ値に基づいて、前記物理キャリアを通じたダウンリンク送信のためにノードによって使用されるべきフレームのサブフレームの数を決定することと、
を備える方法。
［Ｃ２］
前記制御フォーマットインジケータ値に基づいて、前記フレームのためのユーザ機器（ＵＥ）のスリープスケジュールを決定することをさらに備える、Ｃ１に記載の方法。
［Ｃ３］
前記制御フォーマットインジケータ値に基づいて、ユーザ機器（ＵＥ）による確認応答（ＡＣＫ）／否定確認応答（ＮＡＣＫ）送信をスケジューリングすることをさらに備える、Ｃ１に記載の方法。
［Ｃ４］
前記制御フォーマットインジケータ値は、前記フレームの最初のサブフレームの間に受信される、Ｃ１に記載の方法。
［Ｃ５］
前記制御フォーマットインジケータ値は、前記フレームの前記最初のサブフレームの最初のシンボルの間に受信される、Ｃ４に記載の方法。
［Ｃ６］
前記制御フォーマットインジケータ値は、前のフレームの最後のサブフレームの間に受信される、Ｃ１に記載の方法。
［Ｃ７］
前記制御フォーマットインジケータ値は、前記フレームのサブフレームの最初のシンボルの間に受信される、Ｃ１に記載の方法。
［Ｃ８］
前記制御フォーマットインジケータ値のビット幅は、前記フレームの構造に基づく、Ｃ１に記載の方法。
［Ｃ９］
前記制御フォーマットインジケータ値は、送信の終わり、データが前記フレームの間に送信されるべきかどうか、送信のために使用されるべき前記フレームのサブフレームの数、および送信のための最後のサブフレーム、のうちの少なくとも１つを示す、Ｃ１に記載の方法。
［Ｃ１０］
前記制御フォーマットインジケータ値は、チャネル使用パイロット信号（ＣＵＰＳ）、チャネル使用ビーコン信号（ＣＵＢＳ）、セル固有参照信号（ＣＲＳ）、増強ＣＲＳ（ｅＣＲＳ）、送信フォーマットインジケータチャネル（ＴＦＩＣＨ）、増強ＴＦＩＣＨ（ｅＴＦＩＣＨ）、物理制御フォーマットインジケータチャネル（ＰＣＦＩＣＨ）、および増強ＰＣＦＩＣＨ（ＥＰＣＦＩＣＨ）の少なくとも１つの一部として受信される、Ｃ１に記載の方法。
［Ｃ１１］
ワイヤレス通信のための装置であって、
プロセッサと、
前記プロセッサに結合されたメモリと、を備え、前記プロセッサは、
共有スペクトラム中の物理キャリアを通じて、フレームのための制御フォーマットインジケータ値を受信し、
前記制御フォーマットインジケータ値に基づいて、前記物理キャリアを通じたダウンリンク送信のためにノードによって使用されるべきフレームのサブフレームの数を決定する
ように構成される、装置。
［Ｃ１２］
前記プロセッサは、さらに、
前記制御フォーマットインジケータ値に基づいて、前記フレームのためのユーザ機器（ＵＥ）のスリープスケジュールを決定するように構成される、Ｃ１１に記載の装置。
［Ｃ１３］
前記プロセッサは、さらに、
前記制御フォーマットインジケータ値に基づいて、ユーザ機器（ＵＥ）による確認応答（ＡＣＫ）／否定確認応答（ＮＡＣＫ）送信をスケジューリングするように構成される、Ｃ１１に記載の装置。
［Ｃ１４］
前記制御フォーマットインジケータ値は、前記フレームの最初のサブフレームの間に受信される、Ｃ１１に記載の装置。
［Ｃ１５］
前記制御フォーマットインジケータ値は、前のフレームの最後のサブフレームの間に受信される、Ｃ１１に記載の装置。
［Ｃ１６］
前記制御フォーマットインジケータ値は、前記フレームのサブフレームの最初のシンボルの間に受信される、Ｃ１１に記載の装置。
［Ｃ１７］
ワイヤレス通信のための方法であって、
共有スペクトラム中の物理キャリアを通じたダウンリンク送信のためにノードによって使用されるべきフレームのサブフレームの数を決定することと、
前記物理キャリアを通じて、前記フレームのサブフレームの前記決定された数に基づいて、前記フレームのための制御フォーマットインジケータ値を送信することと、
を備える方法。
［Ｃ１８］
前記制御フォーマットインジケータ値に基づいて、ユーザ機器（ＵＥ）による確認応答（ＡＣＫ）／否定確認応答（ＮＡＣＫ）送信を受信することをさらに備える、Ｃ１７に記載の方法。
［Ｃ１９］
前記制御フォーマットインジケータ値は、前記フレームの最初のサブフレームの間に送信される、Ｃ１７に記載の方法。
［Ｃ２０］
前記制御フォーマットインジケータ値は、前記フレームの前記最初のサブフレームの最初のシンボルの間に送信される、Ｃ１９に記載の方法。
［Ｃ２１］
前記制御フォーマットインジケータ値は、前のフレームの最後のサブフレームの間に送信される、Ｃ１７に記載の方法。
［Ｃ２２］
前記制御フォーマットインジケータ値は、前記フレームのサブフレームの最初のシンボルの間に送信される、Ｃ１７に記載の方法。
［Ｃ２３］
前記制御フォーマットインジケータ値のビット幅は、前記フレームの構造に基づく、Ｃ１７に記載の方法。
［Ｃ２４］
前記制御フォーマットインジケータ値は、送信の終わり、データが前記フレームの間に送信されるべきかどうか、送信のために使用されるべき前記フレームのサブフレームの数、および送信のための最後のサブフレーム、のうちの少なくとも１つを示す、Ｃ１７に記載の方法。
［Ｃ２５］
前記制御フォーマットインジケータ値は、チャネル使用パイロット信号（ＣＵＰＳ）、チャネル使用ビーコン信号（ＣＵＢＳ）、セル固有参照信号（ＣＲＳ）、増強ＣＲＳ（ｅＣＲＳ）、送信フォーマットインジケータチャネル（ＴＦＩＣＨ）、増強ＴＦＩＣＨ（ｅＴＦＩＣＨ）、物理制御フォーマットインジケータチャネル（ＰＣＦＩＣＨ）、および増強ＰＣＦＩＣＨ（ＥＰＣＦＩＣＨ）の少なくとも１つの一部として送信される、Ｃ１７に記載の方法。
［Ｃ２６］
ワイヤレス通信のための装置であって、
プロセッサと、
前記プロセッサに結合されたメモリと、を備え、前記プロセッサは、
共有スペクトラム中の物理キャリアを通じたダウンリンク送信のためにノードによって使用されるべきフレームのサブフレームの数を決定し、
前記物理キャリアを通じて、前記フレームのサブフレームの前記決定された数に基づいて、前記フレームのための制御フォーマットインジケータ値を送信する、
ように構成される、装置。
［Ｃ２７］
前記プロセッサは、さらに、
前記制御フォーマットインジケータ値に基づいて、ユーザ機器（ＵＥ）による確認応答（ＡＣＫ）／否定確認応答（ＮＡＣＫ）送信を受信するように構成される、Ｃ２６に記載の装置。
［Ｃ２８］
前記制御フォーマットインジケータ値は、前記フレームの最初のサブフレームの間に送信される、Ｃ２６に記載の装置。
［Ｃ２９］
前記制御フォーマットインジケータ値は、前のフレームの最後のサブフレームの間に送信される、Ｃ２６に記載の装置。
［Ｃ３０］
前記制御フォーマットインジケータ値は、前記フレームのサブフレームの最初のシンボルの間に送信される、Ｃ２６に記載の装置。